(57)【要約】【課題】フレキシブル基板にねじれ方向の力がかかった場合でも電極端子の断線を防止できるフレキシブル基板等を提供することを目的とする。【解決手段】表示装置に備えられる端子部と、電極接続部を介して接続されるフレキシブル基板１０であって、基材１３と、基材１３上に所定のピッチで形成された電極端子１４と、電極端子１４上の領域であって、電極端子１４の一端側である電極接続部１６の領域を露出するよう電極端子１４上に形成された保護膜１５とを備え、保護膜１５の一端側の端部境界の形状は、フレキシブル基板１０を平面視したときに、山と谷を有する波型であって、少なくとも１つの山の高さは他の山の高さと異なる波型である。【選択図】図５
2014170849.tif 000002
【特許請求の範囲】
【請求項１】
表示装置に備えられる端子部と、電極接続部を介して接続されるフレキシブル基板であって、
基材と、
前記基材上に所定のピッチで形成された複数の電極端子と、
前記複数の電極端子上の領域であって、前記複数の電極端子の一端側である電極接続部の領域を露出するよう前記複数の電極端子上に形成された保護膜と、を備え、
前記保護膜の前記一端側の端部境界の形状は、前記フレキシブル基板を平面視したときに、山と谷を有する波型であって、少なくとも１つの山の高さは他の山の高さと異なる波型である、
フレキシブル基板。
【請求項２】
前記波型を構成する複数の山の頂点は、前記複数の電極端子の並び方向で最も外側にある第１電極端子から前記並び方向における内側に向かって、前記複数の電極端子の一端に近づくように、形成される、
請求項１に記載のフレキシブル基板。
【請求項３】
前記複数の山の頂点は、前記一端に近づく所定の直線に沿うように形成されている、
請求項２に記載のフレキシブル基板。
【請求項４】
前記複数の山の頂点は、前記一端に近づく所定の弧線に沿うように形成されている、
請求項２に記載のフレキシブル基板。
【請求項５】
前記複数の山のうち前記並び方向における最外の山である第１の山の２つ辺のうち、一方の辺である前記最外の側の辺は、他方の辺よりも傾度が大きい、
請求項２〜４のいずれか１項に記載のフレキシブル基板。
【請求項６】
前記複数の電極端子のうち前記並び方向における最も外側にある所定数の電極端子は、ダミー電極端子である、
請求項１〜５のいずれか１項に記載のフレキシブル基板。
【請求項７】
前記ダミー電極端子上の前記端部境界の形状は、前記波型とは異なる形状で形成されている、
請求項６に記載のフレキシブル基板。
【請求項８】
前記ダミー電極端子上の前記端部境界の形状は、前記並び方向と平行な形状で形成されている、
請求項７に記載のフレキシブル基板。
【請求項９】
前記端部境界の形状は、前記複数の電極端子のうち前記ダミー電極端子を除いて前記並び方向における最も外側にある電極端子から、前記波型に形成されている、
請求項６〜８のいずれか１項に記載のフレキシブル基板。
【請求項１０】
前記波型を構成する複数の山のうち前記並び方向における最外の山である第１の山の高さが、前記第１の山を除く前記複数の山より高く形成されており、
前記第１の山の頂点は、前記複数の電極端子のうち、前記並び方向における最も外側にある電極端子の外に形成されている、
請求項１に記載のフレキシブル基板。
【請求項１１】
前記第１の山の２つ辺のうち、一方の辺である前記最外の側の辺は、他方の辺よりも傾度が大きい、
請求項１０に記載のフレキシブル基板。
【請求項１２】
前記第１の山を除く前記複数の山の頂点は、一定間隔に形成されている、
請求項１０に記載のフレキシブル基板。
【請求項１３】
前記複数の電極端子のうち前記並び方向における最も外側にある所定数の電極端子は、ダミー電極端子である、
請求項１０〜１２のいずれか１項に記載のフレキシブル基板。
【請求項１４】
前記最も外側にある電極端子は、前記ダミー電極端子を除く前記複数の電極端子のうち、前記並び方向における最も外側にある電極端子である、
請求項１３に記載のフレキシブル基板。
【請求項１５】
電極接続部を有するフレキシブル基板と、
前記電極接続部を介して前記フレキシブル基板と接続される端子部を有する表示パネルとを備え、
前記フレキシブル基板は、
基材と、
前記基材上に所定のピッチで形成された複数の電極端子と、
前記複数の電極端子上の領域であって、前記複数の電極端子の一端側である前記電極接続部の領域を露出するように、前記複数の電極端子上に形成された保護膜と、を有し、
前記保護膜の前記一端側の端部境界の形状は、前記フレキシブル基板を平面視したときに、山と谷を有する波型であって、少なくとも１つの山の高さは他の山の高さと異なる波型である、
表示装置。
【発明の詳細な説明】
【技術分野】
【０００１】
本発明は、フレキシブル基板および表示装置に関し、特に、表示装置に備えられる端子部と電極接続部を介して接続されるフレキシブル基板およびそれを備えた表示装置に関する。
【背景技術】
【０００２】
フレキシブル基板は、電極接続部を有し、その電極接続部に備えられる端子部と相対向して電気的接続がなされる。
【０００３】
図１４は、従来のフレキシブル基板および表示パネルの構成の一例を示す図である。図１５は、従来のフレキシブル基板のレジストの形状を模式的に示す図である。
【０００４】
表示装置は、図１４に示すように、パネルガラス９１とパネルガラス９２とで構成される表示パネルを有し、パネルガラス９１には、ＣＯＦ（Chip On Film）技術を用いてＩＣ（半導体集積回路）が実装されている。パネルガラス９１の表示装置側端子部９７には、表示パネルを駆動するＩＣ（半導体集積回路）と接続される端子が形成されている。また、表示装置側端子部９７では、端子（引出電極）が所定のピッチで形成されている。
【０００５】
一方、フレキシブル基板は、ベースフィルム９３と、ベースフィルム９３上に所定のピッチで形成された電極端子９４と、電極端子９４を保護するレジスト９５とで構成されている。ここで、レジスト９５は、図１５に示すように、表示装置の表示装置側端子部９７と接続される電極接続部９６を露出するように形成されている。言い換えると、レジスト９５の形状（境界形状）は、電極接続部９６を露出させるために図１７に示す直線状となっている。フレキシブル基板は、図１４に示すように、電極接続部９６を介して表示装置の表示装置側端子部９７と相対向して、異方性導電接着材等で接続されることにより、電気的に接続される。
【０００６】
しかし、上記従来のフレキシブル基板が例えば図１４に示す折り曲げ方向ａまたは折り曲げ方向ｂに曲げて使用されるときには、レジスト９５の端部境界９５ａで曲げ応力が集中するため、電極接続部に形成されている電極端子が断線してしまうという問題があった。
【０００７】
そこで、例えば特許文献１では、フレキシブル基板を保護するレジスト（保護膜）の端部境界の形状を直線ではなく、凹凸等の繰り返しパターンで形成する技術が開示されている。特許文献１では、上記のように形成することにより、レジストの端部付近の電極端子への曲げ応力を分散させて、電極端子の断線を抑制することができる。
【先行技術文献】
【特許文献】
【０００８】
【特許文献１】特許第３５７６２９４号公報
【発明の概要】
【発明が解決しようとする課題】
【０００９】
しかしながら、特許文献１に開示されるフレキシブル基板では、図１４に示す折り曲げ方向ａおよび折り曲げ方向ｂとは異なる方向（例えばねじれ方向）に力がかかった場合には、レジストの端部付近の電極端子にねじれ方向の力（応力）が集中してしまい、電極接続端子が断線するおそれがある。
【００１０】
本発明は、上述の課題を解決するためになされたものであり、フレキシブル基板にねじれ方向の力がかかった場合でも電極端子の断線を防止できるフレキシブル基板および表示装置を提供することを目的とする。
【課題を解決するための手段】
【００１１】
上記目的を達成するために、本発明の一態様に係るフレキシブル基板は、表示装置に備えられる端子部と、電極接続部を介して接続されるフレキシブル基板であって、基材と、前記基材上に所定のピッチで形成された複数の電極端子と、前記複数の電極端子上の領域であって、前記複数の電極端子の一端側である電極接続部の領域を露出するよう前記複数の電極端子上に形成された保護膜と、を備え、前記保護膜の前記一端側の端部境界の形状は、前記フレキシブル基板を平面視したときに、山と谷を有する波型であって、少なくとも１つの山の高さは他の山の高さと異なる波型である。
【００１２】
この構成により、フレキシブル基板にかかるねじれ方向の力を保護膜で受けることができるので、電極端子へ力がかかることを防ぐことができる。それにより、フレキシブル基板にねじれ方向の力がかかった場合でも、電極端子の断線を防止できるフレキシブル基板を実現できる。
【００１３】
例えば、前記波型を構成する複数の山の頂点は、前記複数の電極端子の並び方向で最も外側にある第１電極端子から前記並び方向における内側に向かって、前記複数の電極端子の一端に近づくように、形成されるとしても良い。
【００１４】
この構成により、フレキシブル基板にねじれ方向の力がかかった場合でも、ねじれ方向の力を基材上の一点または一線分に集中することを防ぐことができる。それにより、フレキシブル基板にねじれ方向の力がかかった場合でも電極端子の断線を防止できる。
【００１５】
ここで、前記複数の山の頂点は、前記一端に近づく所定の直線に沿うように形成されているとしても良く、前記複数の山の頂点は、前記一端に近づく所定の弧線に沿うように形成されているとしても良い。
【００１６】
また、前記複数の山のうち前記並び方向における最外の山である第１の山の２つ辺のうち、一方の辺である前記最外の側の辺は、他方の辺よりも傾度が大きいとしてもよい。
【００１７】
また、前記複数の電極端子のうち前記並び方向における最も外側にある所定数の電極端子は、ダミー電極端子であるとしても良い。
【００１８】
この構成により、フレキシブル基板にかかるねじれ方向の力を保護膜で受けることができるので、電極端子へ力がかかることを防ぐことができる。さらに、通常の曲げ時に、応力が集中しやすい電極端子の最外側にはダミー電極端子が形成されていることから、たとええダミー電極端子が断線しても電極端子の断線には影響はない。このように、フレキシブル基板にねじれ方向の力がかかった場合でも電極端子の断線を防止できる。
【００１９】
ここで、前記ダミー電極端子上の前記端部境界の形状は、前記波型とは異なる形状で形成されているとしても良い。
【００２０】
また、前記ダミー電極端子上の前記端部境界の形状は、前記並び方向と平行な形状で形成されているとしても良い。
【００２１】
また、前記端部境界の形状は、前記複数の電極端子のうち前記ダミー電極端子を除いて前記並び方向における最も外側にある電極端子から、前記波型に形成されているとしても良い。
【００２２】
これら構成により、通常の曲げ時に、ダミー電極端子に応力が集中しやすくすることができる。それにより、フレキシブル基板にねじれ方向の力がかかった場合でも電極端子の断線を防止できる。
【００２３】
また、前記波型を構成する複数の山のうち前記並び方向における最外の山である第１の山の高さが、前記第１の山を除く前記複数の山より高く形成されており、前記第１の山の頂点は、前記複数の電極端子のうち、前記並び方向における最も外側にある電極端子の外に形成されているとしても良い。
【００２４】
この構成により、フレキシブル基板にねじれ方向の力がかかった場合でも、ねじれ方向の力を保護膜の最外面で受けることができ、電極端子へ力が集中してかかることを防ぐことができる。それにより、フレキシブル基板にねじれ方向の力がかかった場合でも電極端子の断線を防止できる。
【００２５】
ここで、前記第１の山の２つ辺のうち、一方の辺である前記最外の側の辺は、他方の辺よりも傾度が大きいとしても良く、前記第１の山を除く前記複数の山の頂点は、一定間隔に形成されているとしても良い。
【００２６】
この構成により、フレキシブル基板にかかるねじれ方向の力を保護膜の最外面で受けることができ、電極端子へ力が集中してかかることを防ぐことができる。
【００２７】
また、前記複数の電極端子のうち前記並び方向における最も外側にある所定数の電極端子は、ダミー電極端子であるとしても良い。
【００２８】
この構成により、フレキシブル基板にねじれ方向の力がかかった場合には、ねじれ方向の力を保護膜で受けることができ、電極端子へ応力が集中するのを避けることができる。さらに、通常の曲げ時に、応力が集中しやすい電極端子の最外側にはダミー電極端子が形成されていることから、より電極端子の断線を防止できる。
【００２９】
ここで、前記最も外側にある電極端子は、前記ダミー電極端子を除く前記複数の電極端子のうち、前記並び方向における最も外側にある電極端子である。
【００３０】
また、上記目的を達成するために、本発明の一態様に係る表示装置は、電極接続部を有するフレキシブル基板と、前記電極接続部を介して前記フレキシブル基板と接続される端子部を有する表示パネルとを備え、前記フレキシブル基板は、基材と、前記基材上に前記所定のピッチで形成された複数の電極端子と、前記複数の電極端子上の領域であって、前記複数の電極端子の一端側である前記電極接続部の領域を露出するように、前記複数の電極端子上に形成された保護膜と、を有し、前記保護膜の前記一端側の端部境界の形状は、前記フレキシブル基板を平面視したときに、山と谷を有する波型であって、少なくとも１つの山の高さは他の山の高さと異なる波型である。
【００３１】
この構成により、フレキシブル基板にかかるねじれ方向の力を保護膜で受けることができるので、電極端子へ力がかかることを防ぐことができる。それにより、フレキシブル基板にねじれ方向の力がかかった場合でも、電極端子の断線を防止できる表示装置を実現できる。
【発明の効果】
【００３２】
本発明によると、フレキシブル基板にねじれ方向の力がかかった場合でも電極端子の断線を防止できるフレキシブル基板および表示装置を実現できる。
【図面の簡単な説明】
【００３３】
【図１】実施の形態１におけるフレキシブル基板および表示パネルの構成の一例を示す図である。
【図２】実施の形態１の実施例１に係る保護膜の端部境界形状の一例を模式的に示す図である。
【図３】実施の形態１の実施例２に係る保護膜の端部境界形状の一例を模式的に示す図である。
【図４】実施の形態１の実施例３に係る保護膜の端部境界形状の一例を模式的に示す図である。
【図５】実施の形態１の実施例４に係る保護膜の端部境界形状の一例を模式的に示す図である。
【図６】実施の形態１の実施例４に係る保護膜の端部境界形状の全体を模式的に示す図である。
【図７】実施の形態１の実施例２に係る保護膜の端部境界形状と電極端子の構成の一例を模式的に示す図である。
【図８】実施の形態３の実施例１に係る保護膜の端部境界形状と電極端子の構成の一例を模式的に示す図である。
【図９】実施の形態３の実施例２に係る保護膜の端部境界形状と電極端子の構成の一例を模式的に示す図である。
【図１０】実施の形態３の実施例３に係る保護膜の端部境界形状と電極端子の構成の一例を模式的に示す図である。
【図１１】実施の形態３の実施例４に係る保護膜の端部境界形状と電極端子の構成の一例を模式的に示す図である。
【図１２】実施の形態３の実施例５に係る保護膜の端部境界形状と電極端子の構成の一例を模式的に示す図である。
【図１３】実施の形態３の実施例６に係る保護膜の端部境界形状と電極端子の構成の一例を模式的に示す図である。
【図１４】従来のフレキシブル基板および表示パネルの構成の一例を示す図である。
【図１５】従来のフレキシブル基板のレジストの形状を模式的に示す図である。
【発明を実施するための形態】
【００３４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３５】
（実施の形態１）
図１は、実施の形態１におけるフレキシブル基板および表示パネルの構成の一例を示す図である。
【００３６】
実施の形態１におけるフレキシブル基板１０を備える表示装置は、テレビやモバイル端末である。これら表示装置は、例えば、表示装置の表示パネルの端子部にフレキシブル基板１０が接続されて構成される。言い換えると、これら表示装置は、フレキシブル基板１０と、電極接続部を介してフレキシブル基板１０と接続される端子部を有する表示パネルとを備える。
【００３７】
ここで、表示パネルは、例えば図１に示すように、パネルガラス１１とパネルガラス１２とで構成され、パネルガラス１１には、ＣＯＦ（Chip On Film）技術を用いてＩＣ（半導体集積回路）が実装されている。パネルガラス１１の端子部（表示装置側端子部１７）には、表示パネルを駆動するＩＣ（半導体集積回路）と接続される端子が形成されている。また、表示装置側端子部１７では、端子（引出電極）が所定のピッチで形成されている。
【００３８】
フレキシブル基板１０は、基材１３と、基材１３上に所定のピッチで形成された電極端子１４と、電極端子１４を保護する保護膜１５とで構成され、表示装置に備えられる端子部と電極接続部を介して接続される。
【００３９】
基材１３は、例えばポリイミドやポリエステルなどからなるベースフィルムで構成されている。基材１３の片面側（図１で下側）には、電極端子１４が形成されており、必要に応じて表示パネルを駆動するためのＩＣなどのベアチップが搭載されている。
【００４０】
電極端子１４は、基材１３上に所定のピッチで形成された複数の電極端子である。電極端子１４は、例えば銅箔よりなる電気配線が所定のパターンで形成される。典型的には、電極端子１４は、表示装置側端子部１７の端子（引出電極）と同一ピッチでストライプ状に形成され、図１に示すように、表示装置側端子部１７の端子（引出電極）と同一ピッチ上に位置するように異方性導電接着材(不図示)を介して接続される。
【００４１】
保護膜１５は、電極端子１４上の領域であって、電極端子１４の一端側である電極接続部１６の領域を露出するように、電極端子１４上に形成される。より具体的には、保護膜１５は、基材１３上に形成された電極端子１４を保護するために形成されており、電極接続部１６の領域を除いた電極端子１４上に（電極接続部１６の領域を露出するように）形成されている。保護膜１５には、例えばポリウレタン系樹脂などの樹脂材料が用いられる。
【００４２】
ここで、保護膜１５の一端側（電極接続部１６側）の端部境界の形状の具体例について、以下に説明する。
【００４３】
（実施例１）
図２は、実施の形態１の実施例１に係る保護膜１５の端部境界形状の一例を模式的に示す図である。すなわち、保護膜１５１の一端側（電極接続部１６側）の端部境界の形状を、フレキシブル基板１０を平面視したときに、直線ではなく、図２に示すような、波型のパターンで形成してもよい。保護膜１５１の一端側の端部境界付近の電極端子１４への曲げ応力を分散させて、電極端子１４の断線を抑制することができる。
【００４４】
なお、図２に示すような均一な波型のパターンのみでは、フレキシブル基板１０にねじれ方向の力がかかった場合には、基材１３の側端部１５１ａにある保護膜端１５１ｂに応力が集中してしまい、基材１３の側端部１５１ａ上に形成されている電極端子１４が断線するおそれがある。
【００４５】
そのため、保護膜１５の一端側（電極接続部１６側）の端部境界の形状について、以下の実施例２〜４に示すように、フレキシブル基板１０を平面視したときに、山と谷を有する波型であって、少なくとも１つの山の高さは他の山の高さと異なる不均一な波型に形成されることが好ましい。
【００４６】
（実施例２）
図３は、実施の形態１の実施例２に係る保護膜１５の端部境界形状の一例を模式的に示す図である。すなわち、保護膜１５の一端側（電極接続部１６側）の端部境界の形状は、フレキシブル基板１０を平面視したときに、図３に示すような不均一な波型のパターンで形成することが好ましい。
【００４７】
より具体的には、保護膜１５２の一端側（電極接続部１６側）の端部境界形状において、波型を構成する複数の山のうち電極端子１４の並び方向（方向ｃ）における最外の山である第１の山１５２ａの高さが、第１の山１５２ａを除く複数の山より高く形成されている。また、第１の山１５２ａの頂点は、電極端子１４のうち、並び方向における最も外側にある第１電極端子１４ａの外に形成されている。また、第１の山１５２ａの２つ辺のうち、一方の辺である最外の側（図で左側）の辺は、他方の辺よりも傾度が大きい。また、第１の山１５２ａを除く複数の山の頂点は、一定間隔に形成されている。
【００４８】
つまり、本実施例では、保護膜１５２の一端側の波型の端部境界の形状を、最側端の波の振幅を大きくし、さらに最側の第１電極端子１４ａより外側に配置するよう形成する。
【００４９】
この構成により、フレキシブル基板１０にねじれ方向の力がかかった場合でも、ねじれ方向の力（図３では斜め方向の力１５２ｂ）を保護膜１５２の最外面で受けることができ、電極端子１４へ力が集中してかかることを防ぐことができる。それにより、フレキシブル基板１０にねじれ方向の力がかかった場合でも電極端子１４の断線を防止できる。
【００５０】
（実施例３）
また、保護膜１５の一端側（電極接続部１６側）の端部境界の形状は、図３に示す不均一な波型のパターンに限らず、図４に示す不均一な波型のパターンで形成するとしてもよい。ここで、図４は、実施の形態１の実施例３に係る保護膜１５の端部境界形状の一例を模式的に示す図である。
【００５１】
より具体的には、保護膜１５３の一端側（電極接続部１６側）の端部境界の形状において、波型を構成する複数の山の頂点は、電極端子１４の並び方向（方向ｃ）で最も外側にある第１電極端子１４ａから並び方向における内側に向かって、電極端子１４の一端１４ｂに近づくように形成される。ここで、複数の山の頂点は、一端１４ｂに近づく所定の直線１５３ｃに沿うように形成されている。
【００５２】
つまり、本実施例では、保護膜１５３の一端側の波型の端部境界の形状を、図４の左右方向（方向ｃ）の振幅を小さくしていくよう形成する。
【００５３】
この構成により、フレキシブル基板１０にねじれ方向の力がかかった場合でも、ねじれ方向の力を基材１３上の一点または一線分に集中することを防ぐことができる。それにより、フレキシブル基板１０にねじれ方向の力がかかった場合でも電極端子１４の断線を防止できる。
【００５４】
なお、本実施例では、波型を構成する複数の山のうち電極端子１４の並び方向（方向ｃ）における最外の山の頂点は、図３の場合と異なり、電極端子１４のうち、並び方向における最も外側にある第１電極端子１４ａよりも内側に形成されている。言い換えると、最外の山の頂点は、領域１５３ａには形成されない。また、上記複数の山のうち並び方向における最外の山である第１の山１５３ｂの２つ辺のうち、一方の辺である最外の側の辺は、他方の辺よりも傾度が大きい。
【００５５】
（実施例４）
また、保護膜１５の一端側（電極接続部１６側）の端部境界の形状は、図３および図４に示す不均一な波型のパターンに限らず、図５に示す不均一な波型のパターンで形成するとしてもよい。ここで、図５は、実施の形態１の実施例４に係る保護膜１５の端部境界形状の一例を模式的に示す図である。
【００５６】
より具体的には、保護膜１５４の一端側（電極接続部１６側）の端部境界の形状において、フレキシブル基板１０を平面視したときに、波型を構成する複数の山の頂点は、電極端子１４の並び方向（方向ｃ）で最も外側にある第１電極端子１４ａから並び方向における内側に向かって、電極端子１４の一端１４ｂに近づくように、形成される。ここで、複数の山の頂点は、一端１４ｂに近づく所定の弧線１５４ｃに沿うように形成されている。
【００５７】
つまり、本実施例では、保護膜１５４の一端側の波型の端部境界の形状を、図６に示すように基材１３の左右端で湾曲させた構造に形成する。ここで、図６は、実施の形態１の実施例４に係る保護膜１５の端部境界形状の全体を模式的に示す図である。図５は、図６に示す領域１５４ａを模式的に示した図に相当する。
【００５８】
この構成により、フレキシブル基板１０にねじれによる斜め方向の曲げの応力がかかった場合でも、応力を分散させることができるので、基材１３上の一点または一線分に集中することを防ぐことができる。それにより、フレキシブル基板１０にねじれ方向の力がかかった場合でも電極端子１４の断線を防止できる。
【００５９】
なお、波型を構成する複数の山のうち電極端子１４の並び方向（方向ｃ）における最外の山の頂点は、図３の場合と異なり、電極端子１４のうち、並び方向における最も外側にある第１電極端子１４ａよりも内側に形成されている。言い換えると、最外の山の頂点は、領域１５４ａには形成されない。また、上記複数の山のうち並び方向における最外の山である第１の山１５４ｂの２つ辺のうち、一方の辺である最外の側の辺は、他方の辺よりも傾度が大きい。
【００６０】
以上のように、本実施の形態によれば、フレキシブル基板にねじれ方向の力がかかった場合でも電極端子の断線を防止できるフレキシブル基板および表示装置を実現できる。
【００６１】
（実施の形態２）
実施の形態１では、電極端子１４の断線を防止するために、保護膜１５の一端側の端部境界の形状が不均一な波型のパターンで形成される場合について説明したが、それに限らない。電極端子１４の断線を防止するために、ねじれ方向の力が集中しやすい箇所をダミーの電極端子として形成するとしてもよい。以下、それを実施の形態２として説明する。
【００６２】
以下では、実施の形態１と同様の部分は説明を省略し、異なる点を中心に説明する。
【００６３】
図７は、実施の形態１の実施例２に係る保護膜１５の端部境界形状と電極端子の構成の一例を模式的に示す図である。
【００６４】
電極端子１４は、基材１３上に所定のピッチで形成された複数の電極端子である。電極端子１４は、表示装置側端子部１７の端子（引出電極）と接続される電極端子１４１と、ダミーの電極端子であるダミー電極端子１４２とで構成される。より具体的には、ダミー電極端子１４２は、電極端子１４のうち並び方向（方向ｃ）における最も外側にある所定数の電極端子１４である。
【００６５】
保護膜１５６は、電極端子１４上の領域であって、電極端子１４の一端側である電極接続部１６の領域を露出するように電極端子１４上に形成される。
【００６６】
ここで、保護膜１５の一端側（電極接続部１６側）の端部境界の形状は、図７に示すような不均一な波型のパターンで形成されている。
【００６７】
具体的には、ダミー電極端子１４２上の保護膜１５の端部境界の形状（領域１５６ａの境界形状）は、波型とは異なる形状で形成されている。例えば、ダミー電極端子１４２上の保護膜１５の端部境界形状（領域１５６ａの境界形状）は、並び方向（方向ｃ）と平行な形状（直線）で形成されている。また、保護膜１５の端部境界形状は、電極端子１４のうちダミー電極端子１４２を除く並び方向における最も外側にある電極端子１４１から、波型に形成されている。
【００６８】
言い換えると、保護膜１５６の一端側（電極接続部１６側）の端部境界形状において、波型を構成する複数の山のうち電極端子１４の並び方向（方向ｃ）における最外の山である第１の山１５６ｂの頂点は、電極端子１４のうち、並び方向におけるダミー電極端子１４１の外に形成されている。
【００６９】
つまり、本実施の形態では、応力集中を避けるため、保護膜１５６の一端側の主な端部境界の形状を波型とすることで応力を分散させ、電極端子の断線を防ぐ。また、電極端子１４の並び方向（方向ｃ）の外側になる電極端子１４（図７で、領域１５６ａ付近）の断線を防ぐため、電極端子１４のうち並び方向（方向ｃ）における最も外側にある所定数の電極端子１４をダミー電極端子１４２として形成する。さらに、ダミー電極端子１４２上の保護膜１５６（領域１５６ａの保護膜１５６）の端面が直線となるように形成する。
【００７０】
この構成により、フレキシブル基板１０にねじれ方向の力がかかった場合でも、ねじれ方向の力（図７では斜め方向の力１５６ｃ）を保護膜１５６の端部で受けることができ、電極端子１４へ応力が集中するのを避けることができる。ここで、通常の曲げ時（折り曲げ方向ａ、ｂに折り曲げられた時）には、領域１５６ａの保護膜１５６の直線形状部分で、電極端子１４の断線が発生する可能性があるが、ダミー電極端子１４２とすることで、断線しても問題ない構造となっている。
【００７１】
以上、本実施の形態によれば、フレキシブル基板にねじれ方向や折り曲げ方向の力がかかった場合でも電極端子の断線を防止できるフレキシブル基板および表示装置を実現できる。
【００７２】
（実施の形態３）
本発明に係るフレキシブル基板の例示として、実施の形態１および２を説明したが、これに限定されない。適宜、変更、置き換え、付加、省略などを行った実施の形態にも適用可能であるだけでなく上記実施の形態１および２で説明した各構成要素を組み合わせるとしてもよい。例えば、ダミー電極端子を備え、かつ、保護膜が実施の形態１で説明した不均一な波型に形成されるとしてもよい。以下この場合の例を実施の形態３として説明する。
【００７３】
なお、以下では、実施の形態１および実施の形態２と同様の部分は説明を省略し、異なる点を中心に説明する。
【００７４】
（実施例１）
図８は、実施の形態３の実施例１に係る保護膜１５の端部境界形状と電極端子の構成の一例を模式的に示す図である。図３および図７と同様の要素には同一の符号を付しており、詳細な説明は省略する。
【００７５】
図８は、図３に示す保護膜１５２の端部境界の形状に加えて、電極端子１４が電極端子１４１とダミー電極端子１４２とで構成される場合の一例を示している。その他の構成は、図３および図７と同様のため、説明を省略する。
【００７６】
この構成により、フレキシブル基板１０にねじれ方向の力がかかった場合には、ねじれ方向の力を保護膜１５２で受けることができ、電極端子１４へ応力が集中するのを避けることができる。さらに、通常の曲げ時に、応力が集中しやすい電極端子の最外側にはダミー電極端子１４２が形成されているので、より電極端子１４１の断線を防止できる。
【００７７】
（実施例２）
図９は、実施の形態３の実施例２に係る保護膜１５の端部境界の形状と電極端子の構成の一例を模式的に示す図である。図３および図７と同様の要素には同一の符号を付しており、詳細な説明は省略する。
【００７８】
図９は、図３に示す保護膜１５２の端部境界形状に加えて、図７に示すダミー電極端子１４２上の保護膜１５６の端部境界形状が構成され、かつ、電極端子１４が電極端子１４１とダミー電極端子１４２とで構成される場合の一例を示している。つまり、図９は、図８に加えて、図７に示すダミー電極端子１４２上の保護膜１５６の端部境界形状が組み合わせられている。
【００７９】
具体的には、ダミー電極端子１４２上の保護膜１５７の端部境界形状（領域２５２ｃの境界形状）は、波型とは異なる形状で形成されている。例えば、ダミー電極端子１４２上の保護膜１５７の端部境界形状（領域２５２ｃの境界形状）は、並び方向（方向ｃ）と平行な形状（直線）で形成されている。その他の構成は、図３および図７と同様のため、説明を省略する。
【００８０】
（実施例３）
図１０は、実施の形態３の実施例３に係る保護膜１５の端部境界形状と電極端子の構成の一例を模式的に示す図である。図４および図７と同様の要素には同一の符号を付しており、詳細な説明は省略する。
【００８１】
図１０は、図４に示す保護膜１５３の端部境界形状に加えて、電極端子１４が電極端子１４１とダミー電極端子１４２とで構成される場合の一例を示している。その他の構成は、図４および図７と同様のため、説明を省略する。
【００８２】
この構成により、フレキシブル基板１０にねじれ方向の力がかかった場合には、ねじれ方向の力を保護膜１５３で受けることができ、電極端子１４へ応力が集中するのを避けることができる。さらに、通常の曲げ時に、応力が集中しやすい電極端子の最外側にはダミー電極端子１４２が形成されている、より電極端子１４１の断線を防止できる。
【００８３】
（実施例４）
図１１は、実施の形態３の実施例４に係る保護膜１５の端部境界形状と電極端子の構成の一例を模式的に示す図である。図４および図７と同様の要素には同一の符号を付しており、詳細な説明は省略する。
【００８４】
図１１は、図４に示す保護膜１５３の端部境界形状に加えて、図７に示すダミー電極端子１４２上の保護膜１５６の端部境界形状が構成され、かつ、電極端子１４が電極端子１４１とダミー電極端子１４２とで構成される場合の一例を示している。つまり、図１１は、図１０に加えて、図７に示すダミー電極端子１４２上の保護膜１５６の端部境界形状が組み合わせられている。
【００８５】
具体的には、ダミー電極端子１４２上の保護膜１５８の端部境界形状（領域２５３ａの境界形状）は、波型とは異なる形状で形成されている。例えば、ダミー電極端子１４２上の保護膜１５８の端部境界形状（領域２５３ａの境界形状）は、並び方向（方向ｃ）と平行な形状（直線）で形成されている。その他の構成は、図４および図７と同様のため、説明を省略する。
【００８６】
（実施例５）
図１２は、実施の形態３の実施例５に係る保護膜１５の端部境界形状と電極端子の構成の一例を模式的に示す図である。図５および図７と同様の要素には同一の符号を付しており、詳細な説明は省略する。
【００８７】
図１２は、図５に示す保護膜１５４の端部境界形状に加えて、電極端子１４が電極端子１４１とダミー電極端子１４２とで構成される場合の一例を示している。その他の構成は、図５および図７と同様のため、説明を省略する。
【００８８】
この構成により、フレキシブル基板１０にねじれ方向の力がかかった場合には、ねじれ方向の力を保護膜１５４で受けることができ、電極端子１４へ応力が集中するのを避けることができる。さらに、通常の曲げ時に、応力が集中しやすい電極端子の最外側にはダミー電極端子１４２が形成されている、より電極端子１４１の断線を防止できる。
【００８９】
（実施例６）
図１３は、実施の形態３の実施例６に係る保護膜１５の端部境界形状と電極端子の構成の一例を模式的に示す図である。図５および図７と同様の要素には同一の符号を付しており、詳細な説明は省略する。
【００９０】
図１３は、図５に示す保護膜１５４の端部境界形状に加えて、図７に示すダミー電極端子１４２上の保護膜１５６の端部境界形状が構成され、かつ、電極端子１４が電極端子１４１とダミー電極端子１４２とで構成される場合の一例を示している。つまり、図１３は、図１２に加えて、図７に示すダミー電極端子１４２上の保護膜１５６の端部境界形状が組み合わせられている。
【００９１】
具体的には、ダミー電極端子１４２上の保護膜１５９の端部境界形状（領域２５４ａの境界形状）は、波型とは異なる形状で形成されている。例えば、ダミー電極端子１４２上の保護膜１５９の端部境界形状（領域２５４ａの境界形状）は、並び方向（方向ｃ）と平行な形状（直線）で形成されている。その他の構成は、図５および図７と同様のため、説明を省略する。
【００９２】
以上のように、本実施の形態３によれば、フレキシブル基板にねじれ方向や折り曲げ方向の力がかかった場合でも電極端子の断線を防止できるフレキシブル基板および表示装置を実現できる。
【００９３】
以上のように、本発明によれば、フレキシブル基板にねじれ方向の力がかかった場合でも電極端子の断線を防止できるフレキシブル基板および表示装置を実現できる。
【００９４】
以上、本発明の実施の形態に係るフレキシブル基板について説明したが、本発明は、この実施の形態に限定されるものではない。上記実施の形態及び上記変形例をそれぞれ組み合わせるとしても良い。
【産業上の利用可能性】
【００９５】
本発明は、フレキシブル基板および表示装置に利用でき、特に、テレビ、パソコンなどのモバイル端末に備えられる表示装置に利用することができる。
【符号の説明】
【００９６】
１Ａ  テレビ
１Ｂ  モバイル端末
１０  フレキシブル基板
１１、１２、９１、９２  パネルガラス
１３  基材
１４、９４  電極端子
１４ａ  第１電極端子
１４ｂ  一端
１５  保護膜
１６、９６  電極接続部
１７、９７  表示装置側端子部
９３  ベースフィルム
９５  レジスト
９５ａ  端部境界
１４１  電極端子
１４２  ダミー電極端子
１５１、１５２、１５３、１５４、１５６、１５７、１５８、１５９  保護膜
１５１ａ  側端部
１５１ｂ  保護膜端
１５２ａ、１５３ｂ、１５４ｂ、１５６ｂ  山
１５２ｂ、１５６ｃ  力
１５３ａ、１５４ａ、１５６ａ、２５２ｃ、２５３ａ、２５４ａ  領域
１５３ｃ  直線
１５４ｃ  弧線
【図１】
2014170849.tif 000003
【図２】
2014170849.tif 000004
【図３】
2014170849.tif 000005
【図４】
2014170849.tif 000006
【図５】
2014170849.tif 000007
【図６】
2014170849.tif 000008
【図７】
2014170849.tif 000009
【図８】
2014170849.tif 000010
【図９】
2014170849.tif 000011
【図１０】
2014170849.tif 000012
【図１１】
2014170849.tif 000013
【図１２】
2014170849.tif 000014
【図１３】
2014170849.tif 000015
【図１４】
2014170849.tif 000016
【図１５】
2014170849.tif 000017